(57)【要約】【課題】  ＧＰＲＳネットワーク内の新たなコンテキストの各々に対して加入者記録を生成する。【解決手段】  プローブ２０１〜２０５により、第１及び第２ＧＰＲＳネットワーク・インタフェースから第１及び第２データ・パケットを捕捉する。ＭＳデータベース２０６は、第１データ・パケットからの情報を用いて、第１加入者記録を生成し、第２データ・パケットの情報と比較する。第２データ・パケットが第１加入者記録に関連する場合に、第２データ・パケットからの情報を第１加入者記録に追加する。第２データ・パケットが第１加入者記録に関連しない場合、第２データ・パケットの情報を用いて第２加入者記録を生成する。【選択図】図２
2006325204.tif 000002
【特許請求の範囲】
【請求項１】
ＧＰＲＳネットワークにて加入者記録を生成する方法であって、
第１ＧＰＲＳネットワーク・インタフェースから捕捉した第１データ・パケットからの情報を用いて、第１加入者記録を生成し、
上記第１加入者記録を、第２ＧＰＲＳネットワーク・インタフェースから捕捉した第２データ・パケットの情報と比較し、
上記第２データ・パケットが上記第１加入者記録に関連する場合に、上記第２データ・パケットからの情報を上記第１加入者記録に追加し、
上記第２データ・パケットが上記第１加入者記録に関連しない場合に、上記第２データ・パケットの情報を用いて第２加入者記録を生成する
ことを特徴とする加入者記録生成方法。
【請求項２】
更に、
上記第１及び第２加入者記録を上記第１ＧＰＲＳネットワーク・インタフェースから捕捉した第３データ・パケットと比較し、
上記第３データ・パケットが上記第１又は第２加入者記録に関連する場合に、上記第３データ・パケットの情報を関連の加入者記録に追加する
ことを特徴とする請求項１の加入者記録生成方法。
【請求項３】
更に、
第３ＧＰＲＳネットワーク・インタフェースから捕捉したデータ・パケットからの情報を上記第１加入者記録に追加して、更新した第１加入者記録を生成し、
上記更新した第１加入者記録を上記第２加入者記録と比較し、
上記更新した第１加入者記録及び上記第２加入者記録を組合せて、組合せ加入者記録を生成する
ことを特徴とする請求項１の加入者記録生成方法。
【請求項４】
更に、
加入者識別を用いて上記加入者記録をろ波する
ことを特徴とする請求項１の加入者記録生成方法。
【請求項５】
ＧＰＲＳネットワークにて加入者記録を生成する装置であって、
ＧＰＲＳインタフェースに結合し、上記ＧＰＲＳインタフェースからのメッセージを捕捉できる第１プロセッサと、
上記ＧＰＲＳインタフェースから捕捉したメッセージから生成した加入者記録を蓄積するデータベースと、
関連した加入者記録を組合せて、マージされた加入者記録を生成する第２プロセッサと、
上記捕捉したメッセージからの情報及び上記マージされた加入者記録を用いて、ＧＰＲＳインタフェース上のメッセージを加入者追跡及び解読する第３プロセッサと
を具えた加入者記録生成装置。
【請求項６】
上記第２プロセッサは、第１ＧＰＲＳネットワーク・インタフェースから捕捉した第１データ・パケットからの情報を用いて第１加入者記録を生成できることを特徴とする請求項５の加入者記録生成装置。
【請求項７】
上記第２プロセッサは、第２ＧＰＲＳネットワーク・インタフェースから捕捉した第２データ・パケットを上記第１加入者記録と比較できることを特徴とする請求項５の加入者記録生成装置。
【発明の詳細な説明】
【技術分野】
【０００１】
本発明は、一般に、ＧＰＲＳ（General Packet Radio Service：汎用パケット無線通信サービス）上のメッセージのモニタに関し、特に、異なるＧＰＲＳインタフェースから捕捉された関連ＧＰＲＳメッセージを単一の加入者記録に相関させる加入者記録生成方法及び装置に関する。
【背景技術】
【０００２】
図１は、従来の典型的なＧＰＲＳネットワーク１００のアーキテクチャを示す。このＧＰＲＳネットワーク１００は、ＧＳＭ（Global System for Mobile Communications：グローバル・システム・フォー・モバイル・コミュニケーション）公衆地上モバイル・ネットワーク（ＰＬＭＮ: Public Land Mobile Network）の一部である。ＧＳＭモバイル・ステーション（ＭＳ: Mobile Station）１０１は、基地局（ＢＴＳ: Base Transceiver Stable）１０２と通信を行うが、このＢＴＳは、セル１０３の無線サービス・エリアを提供する。いくつかのＢＴＳ（１０２、１０４）は、１個の基地局コントローラ（ＢＳＣ: Base Station Controller）１０５により一緒に制御される。ＢＴＳ及びＢＳＣは、互いに基地局サブシステム（ＢＳＳ: Base Station Subsystem）を形成する。各セルのモバイル・ステーションに対する音声伝送量は、モバイル・スイッチング・センタ（ＭＳＣ: Mobile Switching Center）１０６経由で送られる。このＭＳＣ１０６は、ゲートウェイ・モバイル・スイッチング・センタ（ＧＭＳＣ: Gateway Mobile Switching Center）１０７を経由して公衆スイッチ電話ネットワーク（ＰＳＴＮ: Public Switched Telephone Network）１０８に接続される。
【０００３】
いくつかのデータベースをコール制御及びネットワーク管理用に用いるが、この管理には、ホーム位置レジスタ（ＨＬＲ：Home Location Register）１０９と、ＭＳＣ／ＶＬＲ（Visited Location Register:滞在位置レジスタ）１１０と、確認センタ（ＡＵＣ: Authentication center）１１１と、装置識別レジスタ（ＥＩＲ: Equipment Identity Register）１１２とを含む。ユーザ・プロファイルの如き不変データや、ユーザの現在位置の如き一時データをＨＬＲ１０９に蓄積している。ＭＳＣ／ＶＬＲ１１０は、場所エリアのグループに関連しており、応答性のあるエリア内に現在いるユーザのデータを蓄積する。これには、高速アクセスでＨＬＲ１０９からＭＳＣ／ＶＬＲ１１０に伝送された不変ユーザ・データの一部を含む。ＭＳＣ／ＶＬＲ１１０は、一時識別の如きローカル・データを割り当て、蓄積する。ＡＵＣ１１１は、確認及び暗号化に用いるキーの如きセキュリティ関係のデータを発生し蓄積する。ＥＩＲ１１２は、加入者データではなく装置データを記録する。
【０００４】
電話番号、加入者識別及び装置識別に加えて、いくつかの他の識別を定義して、ＧＳＭ加入者の移動性及びネットワーク要素の指定の管理を支援する。国際モバイル・ステーション装置識別（ＩＭＥＩ: International Mobile Station Equipment Identity）は、通し番号のようにモバイル・ステーションを唯一無二に識別する。ＩＭＥＩは、装置製造業者により割り当てられ、ＥＩＲにそれを蓄積するネットワーク操作者により記録される。各登録ユーザは、国際モバイル加入者識別（ＩＭＳＩ: International Mobile Subscriber Identity）により唯一無二に識別される。これは、加入者識別モジュール（ＳＩＭ: Subscriber Identity Module）に蓄積される。有効なＩＭＳＩのＳＩＭが、有効なＩＭＥＩを有する装置に挿入されると、モバイル・ステーションを単に動作できる。
【０００５】
所定の加入者は、モバイル加入者ＩＳＤＮ番号（ＭＳＩＳＤＮ: Mobile Subscriber ISDN Number）で識別される。このＭＳＩＳＤＮは、加入者のＳＩＭに割り当てられる。モバイル・ステーション・セットは、インストールされたＳＩＭに依存したいくつかのＭＳＩＳＤＮを有することができる。加入者の現在位置に対して応答可能なＶＬＲは、一時モバイル加入者識別（ＴＭＳＩ: Temporary Mobile Subscriber Identity）を割り当てる。このＴＭＳＩは、ＶＬＲが扱うエリア内にローカル重要度を有する。これは、ＶＬＲ内にてネットワーク側で蓄積されるが、ＨＬＲに伝わらない。
【０００６】
ＧＰＲＳサポート・ノード（ＧＳＮ: GPRS Support Node）は、ＧＰＲＳをＧＳＭアーキテクチャに統合する。ＧＳＮは、モバイル・ステーション及び外部パケット・データ・ネットワーク（ＰＤＮ: Packet Data Network）の間でデータ・パケットの配信及び経路指定を行う。総てのＧＳＮは、ＩＰベースのＧＰＲＳバックボーン・ネットワークを介して接続される。このバックボーン内で、ＧＳＮは、ＰＤＮパケットを暗号化し、ＧＰＲＳトンネル・プロトコル（ＧＴＰ: GPRS Tunneling Protocol）を用いて伝送（トンネル）する。ＧＰＲＳサポート・ノード（ＳＧＳＮ: GPRS Support Node）１１３を用いることにより、サービス・エリア内でＭＳ１０１の如きモバイル・ステーションの間でデータ・パケットの配信を担う。ＧＰＲＳ１１３は、パケットの経路指定及び送信、アタッチ（添付）／ディタッチ（分離）及び場所管理の如き可動性の管理、論理リンク管理、確認及び課金機能を行う。ＳＧＳＮ１１３の場所レジスタは、現在のセル及び現在のＶＬＲの如き場所情報と、パケット・データ・ネットワークで用いるＩＭＳＩや他のアドレスの如きユーザ・プロファイルを、ＳＧＳＮ１１３により登録された総てのＧＰＲＳユーザ用に蓄積する。
【０００７】
ゲートウェイＧＰＲＳサポート・ノード（ＧＧＳＮ: Gateway GPRS Support Node）１１４は、ＧＰＲＳバックボーン・ネットワーク及び外部パケット・データ・ネットワーク（ＰＤＮ: Packet Data Network）１１５の間のインターバルとして作用する。ＧＧＳＮ１１４は、ＳＧＳＮ１１３からのＧＰＲＳパケットをＩＰ又はＸ．２５の如き適切なパケット・データ・プロトコル（ＰＤＰ: Packet Data Protocol）フォーマットに変換し、これらパケットをＰＤＮ１１５に送る。他の方向では、入力データ・パケットのＰＤＰアドレスをＭＳ１０１の如き宛先ユーザのＧＳＭアドレスに変換する。再アドレスのパケットをＳＧＳＮ１１３に送り、これがＭＳ１０１に役立つ。ＧＧＳＮ１１４は、ユーザの現在のＳＧＳＮアドレスと、彼／彼女のプロファイルをその場所のレジスタに蓄積する。
【０００８】
ＧＰＲＳネットワーク内でＳＧＳＮ及びＧＧＳＮの間には、多数対多数の関係がある。単一のＧＧＳＮは、いくつかのＳＧＳＮ用の外部パケット・データ・ネットワークに対するインタフェースとして作用する。代わりに、単一のＳＧＳＮが異なるパケット・データ・ネットワークに達するように、異なるＧＧＳＮを越えてそのパケットの経路指定をしてもよい。例えば、ＳＧＳＮ１１３を異なるＰＬＭＮ１１７にてＳＧＳＮ／ＧＧＳＮ１１６に結合してもよい。
【０００９】
図１は、ネットワーク・ノード間の種々のＥＴＳＩ（European Telecommunications Standards Institute：ヨーロッパ電気通信規格研究所）が定めたインタフェースも示す。Ｇｂインタフェースは、ＢＳＣ１０５をＳＧＳＮ１１３に接続する。Ｇｂインタフェースは、同じＰＬＭＮ内のＳＧＳＮも接続する。Ｇｐインタフェースを用いて、分離したＰＬＭＮ内のＳＧＳＮ及びＧＧＳＮを接続する。Ｇｉインタフェースは、ＰＬＭＮを、インターネット又は組織のイントラネットの如き外部の公共又は私的なＰＤＮに接続する。Ｇｆインタフェースを用いて、ＳＧＳＮ１１３は、ネットワークにより登録しようとするモバイル・ステーションのＩＭＥＩに関してＥＩＲ１１２に質問をできる。
【００１０】
ＨＬＲ１０９は、ユーザ・プロファイル、現在のＳＧＳＮアドレス、ＰＬＭＮ内の各ＧＰＲＳユーザ用のＰＤＰアドレスを蓄積する。Ｇｒインタフェースを用いて、この情報をＨＬＲ１０９及びＳＧＳＮ１１３の間で交換する。例えば、ＳＧＳＮ１１３は、ＭＳ１０１の現在の位置をＨＬＲ１０９に伝える。ＭＳ１０１は、新たなＳＧＳＮに登録し、ＨＬＲ１０９は、ユーザ・プロファイルを新たなＳＧＳＮに送る。ＧＧＳＮ１１４は、ＧＧＳＮ１１４及びＨＬＲ１０９の間のＧｃインタフェースを用いて、ユーザの位置及びプロファイルを質問して、その位置レジスタを更新する。ＭＳＣ／ＶＬＲ１１０は、パケット・スイッチ・サービス（ＧＰＲＳ）と回線スイッチ・サービス（従来のＧＳＭ）との間の調整ができる機能及びレジスタ入力を含んでもよい。この目的のために、Ｇｓインタフェースは、ＳＧＳＮ１１３及びＭＳＣ／ＶＬＲ１１０のデータベースを接続する。Ｇｄインタフェースは、ＳＭＳゲートウェイＭＳＣ（ＳＭＳ−ＧＭＳＣ）１１８をＳＧＳＮ１１３に接続して、ＧＰＲＳを介してショート・メッセージ・サービス（ＳＭＳ: Short Message Service）を交換する。
【００１１】
ＭＳ１０１がＧＰＲＳサービスを用いることができる前に、これは、ＧＰＲＳネットワークのＳＧＳＮ１１３に登録しなければならない。ＳＧＳＮ１１３は、ユーザが承認されているかをチェックし、ＨＬＲ１０９からのユーザ・プロファイルをコピーし、パケット一時モバイル加入者識別（Ｐ−ＴＭＳＩ: Packet Temporary Mobile Subscriber Identity）をそのユーザに割り当てる。この手順は、ＧＰＲＳアタッチと呼ばれている。回線スイッチ及びパッケージ・スイッチのサービスの両方を用いるモバイルにとって、組合せたＧＰＲＳ／ＩＭＳＩアタッチ手順を実行できる。ＧＰＲＳネットワークからの切断は、ＧＰＲＳ分離と呼ばれる。モバイル・ステーション又はネットワークは、ＧＰＲＳ分離を開始できる。
【００１２】
ＧＰＲＳアタッチが成功した後、ＭＳ１０１は、ＰＤＮ１１５で用いられる１つ以上のアドレスを提供して、外部ＰＤＮ１１５内のサーバー１１９の如き装置とデータ・パケットを交換しなければならない。例えば、ＰＤＮ１１５がＩＰネットワークならば、ＭＳ１０１にＩＰアドレスを割り当てる。このアドレスは、ＰＤＰ（Packet Data Protocol: パケット・データ・プロトコル）アドレスと呼ばれる。各セッションに対して、そのセッションの特性を記述するＰＤＰコンテキストを生成する。ＰＤＰコンテキストは、ＰＤＰ形式と、モバイル・ステーションに割り当てるＰＤＰアドレスと、サービスの要求品質と、ＰＤＮ１１５へのアクセス・ポイントとして作用するＧＧＳＮ１１４のアドレスとを含んでいる。このコンテキストは、ＭＳ１０１と、ＳＧＳＮ１１３と、ＧＧＳＮ１１４とを含んでいる。アクティブなＰＤＰコンテキストにより、ＭＳ１０１は、外部ＰＤＮ１１５に見え、データ・パケットを送受信できる。２つのアドレスであるＰＤＰ及びＩＭＳＩの間のマッピングにより、ＧＧＳＮ１１４は、ＰＤＮ１１５及びＭＳ１０１の間でデータ・パケットを伝送できる。ユーザは、ある時点で、いくつかの同時のＰＤＰコンテキストをアクティブにする。
【００１３】
ＰＤＰアドレスの割り当ては、静的又は動的である。第１の場合、ユーザ・ホームＰＬＭＮのネットワーク操作者は、ＰＤＰアドレスをユーザに永久的に割り当てる。第２の場合、ＰＤＰアドレスは、ＰＤＰコンテキストの活性化に応じてユーザに割り当てられる。このＰＤＰアドレスは、ホームＰＬＭＮ（ダイナミック・ホームＰＬＭＮ  ＰＤＰアドレス）の操作者、又は訪問先ネットワーク（ダイナミック訪問先ＰＬＭＮ  ＰＤＰアドレス）の操作者によって割り当てることができる。ホーム・ネットワーク操作者は、利用できる可能な代替がどれかを判断する。ダイナミックＰＤＰアドレス割り当ての場合、ＧＧＳＮは、ＰＤＰアドレスの活性化／非活性化及び割り当てに応答可能である。
【００１４】
【特許文献１】特開２００４−２１５２６５
【発明の開示】
【発明が解決しようとする課題】
【００１５】
関連したＧＰＲＳパケットは、種々のネットワーク・ノード間の異なるインタフェースで通信を行うので、これらＲＰＲＳパケットをモニタし追跡することは、困難である。これは、各パケットが異なるパラメータを有するためである。よって、従来技術においては、ＧＰＲＳネットワークにて交換されているパケットを相関させる必要がある。
【課題を解決するための手段】
【００１６】
本発明は、ＧＰＲＳネットワークにて加入者記録を生成する方法であって；第１ＧＰＲＳネットワーク・インタフェースから捕捉した第１データ・パケットからの情報を用いて、第１加入者記録を生成し；この第１加入者記録を、第２ＧＰＲＳネットワーク・インタフェースから捕捉した第２データ・パケットの情報と比較し；第２データ・パケットが第１加入者記録に関連する場合に、第２データ・パケットからの情報を第１加入者記録に追加し；第２データ・パケットが第１加入者記録に関連しない場合、第２データ・パケットの情報を用いて第２加入者記録を生成することを特徴とする。
また、本発明は、ＧＰＲＳネットワークにて加入者記録を生成する装置であって；ＧＰＲＳインタフェースに結合し、ＧＰＲＳインタフェースからのメッセージを捕捉できる第１プロセッサと；ＧＰＲＳインタフェースから捕捉したメッセージから生成した加入者記録を蓄積するデータベースと；関連した加入者記録を組合せて、マージされた加入者記録を生成する第２プロセッサと；捕捉したメッセージからの情報及びマージされた加入者記録を用いて、ＧＰＲＳインタフェース上のメッセージを加入者追跡及び解読する第３プロセッサとを具えている。
【発明の効果】
【００１７】
よって、本発明は、ＧＰＲＳネットワークにて交換されているパケットを相関させることができる。
【発明を実施するための最良の形態】
【００１８】
本発明は、ＧＰＲＳシステムにおける加入者記録を生成する装置及び方法を提供する。モニタ・プローブを用いて、ＧＰＲＳネットワーク内の種々のインタフェース上で交換される信号ユニット（signaling unit）、メッセージ又はデータ・パケットを捕捉する。詳細に表１にて後述するＩＭＳＩ、ＴＬＬＩ、ＮｏｄｅＩｄ、ＰＴＭＳＩ、ＲＡＮＤ  ＵＩ、アルゴリズム形式、Ｔｒｉｐｌｅｔ  Ｉｎｄｅｘ、ＭＳＩＳＤＮ、経路領域インデックス、確認トリプレット（Ｋｃ、ＲＡＮＤ、ＳＲＥＳ）などの特定の加入者接続に関連する多くのパラメータがある。しかし、各メッセージは、これらパラメータの総てを含んではいない。よって、異なるＧＰＲＳインタフェースからの捕捉したメッセージを用いて、関連したメッセージを単一の加入者記録に相関させる装置及び方法が必要である。
【００１９】
加入者がアクティブ・セッション又はコンテキストを有するとき、ＧＰＲＳインタフェース上で情報を交換する。メッセージの異なる形式を異なるインタフェース上で交換する。本発明の目的は、ＧＰＲＳネットワーク内の各新たなコンテキスト用に加入者記録を生成することである。既存の記録と相関できない各ＧＰＲＳインタフェース・メッセージ用には、新たな加入者記録を生成する。追加メッセージが捕捉されると、加入者記録を更新する。情報を既存の記録に追加する際、更新された記録が他の加入者記録と比較されて、複数の記録を組合せるべきかを判断する。
【００２０】
加入者情報を単一の記録に相関させることにより、１つのインタフェースにて相関させたユーザ情報を用いて、他のインタフェースにて捕捉したメッセージを分析できる。例えば、Ｇｂインタフェース上のメッセージを暗号化して、そのメッセージを解読するのに必要なキー（鍵）がなければ、それらの内容を読み取ることができない。これらのキーは、Ｇｒ、Ｇｎ又はＧｐインタフェースの如き他のインタフェース上のメッセージから利用可能である。総ての情報を単一の加入者記録に相関させることにより、Ｇｂインタフェース上のメッセージを、他のインタフェース上の関連メッセージから捕捉したキーを用いることにより、解読できる。
【００２１】
ＩＭＳＩの如き加入者識別が常には総てのインタフェース上の全メッセージに伝送されないかもしれないが、識別が通話部分であるメッセージ内に存在しないときでも、本発明による加入者追跡では、加入者識別をフィルタ（ろ波）する能力がある。これらのフィルタ能力を実時間及び履歴の分析の両方に対して維持する。
【００２２】
上述は、本発明の特徴及び技術的利点の概略であるが、本発明の詳細は後述から理解できよう。本発明の他の特徴及び利点は、後述する。本発明の目的を実施するための構成の変形及び変更するために、ここで開示する概念及び特定の実施例を容易に利用できることが理解できよう。かかる等化の構成は、本発明の要旨から外れるものではない。本発明の構成及び方法の新規な特徴は、他の目的及び利点と共に、添付図を参照した以下の説明からより一層理解できよう。また、各図は、本発明の実施例を説明するためであり、本発明自体をそのものに限定するものではない。
【実施例】
【００２３】
図２は、本発明の一実施例によりモニタ・プローブにてモニタを行うＧＰＲＳネットワークを示す。１個以上のモニタ・プローブをＧＰＲＳネットワークのコンポーネント間の通信リンクに結合する。好適実施例において、プローブは、通信リンクを通過する略総てのパケット又はメッセージを捕捉する。これらプローブは、ＧＰＲＳネットワークに対して透明であり、ＧＰＲＳネットワークの動作に直接的な影響を与えない。好ましくは、これらプローブを通信リンクの多くの利用可能なポイントに接続する。
【００２４】
Ｇｐプローブ２０１は、ＢＳＣ１０５及びＳＧＳＮ１１３の間のＧｂインタフェース上を伝送されるパケット及びメッセージを捕捉しモニタする。Ｇｒプローブ２０２は、ＳＧＳＮ１１３及びＨＬＲ１０９の間のＧｒインタフェース上を伝送されるパケット及びメッセージを捕捉しモニタする。Ｇｎプローブ２０３は、Ｇｎインタフェース上を伝送されるパケット及びメッセージを捕捉しモニタする。Ｇｐプローブ２０４は、Ｇｐインタフェース上を伝送されるパケット及びメッセージを捕捉しモニタする。Ｇｉプローブ２０５は、ＧＧＳＮ１１４及びＰＤＮ１１５の間のＧｉインタフェース上を伝送されるパケット及びメッセージを捕捉しモニタする。種々のプローブを組合せて、同じ又は異なる形式の複数のリンクをモニタできることが当業者には理解できよう。例えば、Ｇｎプローブ２０３及びＧｐプローブ２０４を組合せて、単一のＧｎ／Ｇｐプローブ（図示せず）の別の実施例にできる。
【００２５】
Ｇｆ、Ｇｓ、Ｇｃ又はＧｄインタフェースの如き上述しない他のインタフェース用の通信リンクに他のモニタ・プローブを結合できることが理解できよう。モニタ・プローブ２０１〜２０５は、捕捉したパケット及びメッセージから加入者記録を生成する。別の実施例においては、モニタ・プローブ２０１〜２０５を互いに結合して（図示せず）、捕捉したパケット及びメッセージをこれらモニタ・プローブの間で交換できる。これにより、異なるネットワーク・インタフェースから捕捉したメッセージ及びパッケージを用いて、個別のモニタ・プローブが加入者記録を生成できる。
【００２６】
モニタ・プローブ２０１〜２０５は、加入者記録をモバイル・ステーション（ＭＳ）データベース２０６に送る。このデータベースは、モバイル加入者情報を追跡し蓄積する。ＭＳデバイス２０６は、モニタ・プローブ２０１〜２０５の１つに内蔵させてもよいし、別のコンポーネントとしてもよいことが当業者には理解できよう。ＭＳデータベース２０６が１個のモニタ・プローブの一部である実施例においては、他のモニタ・プローブがホスト・プローブ内のデータベース２０６にアクセスできることが理解できよう。モニタ・プローブ２０１〜２０５は、他のモニタ・プローブがデータベース２０６に蓄積した記録をアクセスできるので、他のネットワーク・インタフェースから捕捉した情報により、その記録を更新できる。
【００２７】
ＭＳデータベース２０６に蓄積された加入者記録は、以下の表１に示すパラメータの１つ以上を含む。このリストは、一例であり、他の実施例の加入者記録には他のパラメータも含んでもよいことが理解できよう。
【００２８】
［表１］（フィールド：説明）
加入者識別：ＭＳデータベース又はモニタ装置が生成した唯一の加入者識別番号
ＩＭＳＩ：国際移動加入者識別番号（International Mobile Subscriber Identify）
ＴＬＬＩ：一時的ロジック・リンク識別
ＮｏｄｅＩｄ：ＭＳデータベース又はモニタ装置が生成した唯一のネットワーク・ノード識別
ＰＴＭＳＩ：パケット・ネットワーク用の一時的モバイル加入者識別
ＲＡＮＤ  ＵＩ：ＳＧＳＮが発生した乱数であり、暗号化の際に入力パラメータの一部として使用する
アルゴリズム形式：ＭＳデータを暗号化するのにＳＧＳＮが用いる現在の暗号化アルゴリズム
トリプレット・インデックス：使用する確認トリプレットを識別する識別子
ＭＳＩＳＤＮ：モバイル加入者国際ＰＳＴＮ／ＩＳＤＮ番号
ＧＭＴ時間：記録生成時間
ＯＣ配列：ＮＳＡＰＩ当たりのオーバーフロー・カウンタであり、暗号化アルゴリズム用の入力パラメータとして用いる
ＲＡＩ：経路指定領域Ｉｄ
確認トリプレット：Ｋｃ、ＲＡＮＤ及びＳＲＥＳから成る暗号化キー
【００２９】
捕獲した各パケットは、上述のリストの要素部分のみを含んでいる。よって、単一のパケットは、加入者用の完全な記録を生成するのに充分な情報を提供しない。本発明を用いることにより、２対以上の記録に蓄積されたパラメータを比較して、関連記録を識別して、単一のモバイル加入者に関連した多数の記録からの情報を組合せる。
【００３０】
図３は、本発明の一実施例でのＧｂ及びＧｒインタフェースから捕捉したデータ・パケット及びメッセージを示す。この図３は、ＳＧＳＮ３０３がＭＳ３０１からアタッチ要求を受けるシナリオを示している。このシナリオにおいて、ＭＳ３０１は、例えば、ＳＧＳＮ３０３に事前に知られている。これは、ＭＳ３０１がＳＧＳＮ３０４を介して事前に通信をしたためである。ＳＧＳＮ３０３は、ＭＳ３０１用に利用できる確認キーを有しておらず、ＨＬＲ３０５から確認キーを取り出さなければならない。
【００３１】
ＭＳ３０１は、ＢＳＳ３０２を介してＳＧＳＮ３０３にアタッチ要求／ＲＡＵ要求メッセージ３１を送る。これは、ＭＳ３０１の現在のセルをカバーするものである。メッセージ３０１は、ＢＳＳ３０２からＳＧＳＮ３０３へのＧｂインタフェース上を伝送され、Ｇｂプローブ３０６により捕捉される。Ｇｂプローブ３０６は、アタッチ要求メッセージ３１から抽出したＩＭＳＩパラメータを用いて、Ｇｂインタフェース加入者記録を生成する。Ｇｂインタフェース加入者記録は、ＭＳデータベース３０８に蓄積される。Ｇｂプローブ３０６は、アタッチ要求メッセージ３１からＩＭＳＩ、ＰＴＭＳＩ、ＴＬＬＩ及びＲＡＩ情報を抽出する。総てのこの情報は、Ｇｂインタフェース加入者記録を含んでいる。
【００３２】
ＳＧＳＮ３０３は、Ｇｒインタフェース上に確認情報の送信メッセージ３２を伝送して、ＨＬＲ３０５からの確認キーを要求する。これに応答して、ＨＬＲ３０５は、確認情報肯定応答の送信メッセージ３３をＧｒインタフェースによりＳＧＳＮ３０３に戻す。Ｇｒプローブ３０７は、メッセージ３２及び３３を捕捉し、メッセージ３２から抽出したＩＭＳＩパラメータを用いてＭＳ３０１用の既存のＧｂインタフェース加入者記録を更新する。Ｇｒプローブ３０７は、メッセージ３３から抽出した確認トリプレット（Ｋｃ、ＲＡＮＤ及びＳＲＥＳ）をＧｂインタフェース加入者記録に追加する。
【００３３】
別の実施例においては、アタッチ／ＲＡＵ要求メッセージ３１は、オプションのＩＭＳＩパラメータを含んでいない。このシナリオでは、Ｇｂプローブ３０６は、ＰＴＭＳＩ情報を用いてＭＳ３０１用のＧｂインタフェース加入者記録を生成し、このＧｂインタフェース記録をＭＳデータベース３０８に転送する。Ｇｒプローブ３０７は、確認情報の送信メッセージ３２及び確認情報肯定応答の送信メッセージ３３からのＩＭＳＩ情報を用いて、ＭＳ３０１用の別のＧｒインタフェース加入者記録を生成する。確認情報の送信メッセージは、ＰＴＭＳＩ情報を含んでいないので、ＭＳ３０１用の既存のＧｂ加入者記録に直ちに相関できない。Ｇｒプローブ３０７からの新たなＧｒ加入者記録もＭＳデータベース３０８に送られる。
【００３４】
ＳＧＳＮ３０３及びＭＳ３０１の間で交換された他のメッセージから抽出したデータを用いて、Ｇｒ及びＧｂ加入者記録を完全にする、即ち、書き足す。確認要求メッセージ３４及び確認応答メッセージ３５をＧｂインタフェース上で交換して、モバイル加入者を確認する。これらメッセージは、Ｇｂプローブ３０６が捕捉されたものである。このＧｂプローブ３０６は、ＴＬＬＩ情報を既存の加入者記録に対応するものとして認識する。Ｇｂプローブ３０６は、メッセージ３４及び３５からのＲＡＮＤ及びＩＭＳＩ情報を加算して、ＭＳ３０１用の既存のＧｂ加入者記録を更新する。
【００３５】
更新したＧｂ加入者記録をＭＳデータベース３０８に供給する。ＭＳデータベース３０８は、二重になったエントリ、又は関連エントリを検索する。ＲＡＮＤ及びＳＲＥＳ情報を用いて、Ｇｂインタフェースから収集された情報をＧｒインタフェースから収集された情報とマッチさせる。同様に、メッセージ３６〜３８もＧｂインタフェース上で交換されて、アタッチ要求を完成させる。これらメッセージは、Ｇｂプローブ３０６により捕捉され、マージされた加入者記録を更に更新するのに使用される。
【００３６】
次の表２は、図３にて捕捉されたメッセージから抽出されたデータを示す。次に、このデータを用いて、ＭＳデータベース３０８用の記録を生成する。
【００３７】
［表２］（メッセージ：抽出されたデータ）
３１−アタッチ要求／ＲＡＵ要求：ＩＭＳＩ、ＰＴＭＳＩ、ＴＬＬＩ、ＲＡＩ
３２−確認情報の送信：ＩＭＳＩ
３３−確認情報肯定応答の送信：確認トリプレット（Ｋｃ、ＲＡＮＤ、ＳＲＥＳ）
３４−確認要求：ＴＬＬＩ、確認形式、ＲＡＮＤ
３５−確認応答：ＴＬＬＩ、ＳＲＥＳ
３６−ＸＩＤ：ＲＡＮＤ−ＵＩ
３７−アタッチ受諾／ＲＡＵ受諾：ＰＴＭＳＩ、ＴＬＬＩ
３８−アタッチ完了／ＲＡＵ完了：ＴＬＬＩ
【００３８】
図４は、本発明の他の実施例を示す。図４において、ＳＧＳＮ３０３は、要求された確認キーを有するか、キーの自分のキャッシュを用いるので、アタッチの一部として、確認キーの交換が要求されない。ＭＳ３０１は、アタッチ要求メッセージ４１をＳＧＳＮ３０３に送り、Ｇｂプローブ３０６は、メッセージ４１を捕捉する。Ｇｂプローブ３０６は、メッセージ４１から抽出したいずれかのＩＭＳＩ情報を用いて、新たなＧｂ加入者記録を生成する。ＩＭＳＩ情報が利用できないと、ＰＴＭＳＩ情報を用いて、新たなＧｂ記録を生成する。
【００３９】
メッセージ４２は、ＳＧＳＮ３０３におけるローカル・キャッシュ・メモリへの質問であり、確認トリプレット（Ｋｃ、ＲＡＮＤ及びＳＲＥＳ）を取り出す。この情報を用いて、確認要求メッセージ４３を生成するが、これもＧｂプローブ３０６により捕捉される。図４に示すシナリオでは、ＳＧＳＮ３０３は、ローカル・キャッシュに蓄積されたキーを用いて、モバイル加入者記録を暗号化する。これらキーは、ＨＬＲ３０５の事前の参照によりフェッチされているので、メッセージ３２のような新たな参照が要求されない。確認トリプレットのような加入者情報は、加入者データベースに永久に蓄積されるので、Ｇｂプローブは、ＳＧＳＮ３０３の動きをまねできる。
【００４０】
ＲＡＮＤ及びＳＲＥＳの如き確認情報がメッセージ４３及び４４から収集される。これらメッセージ４３及び４４内のＴＬＬＩ情報を用いて、これらメッセージを、メッセージ４１の検出により生成された既存のＧｂ加入者記録と相関させる。追加情報をメッセージ４５〜４７から収集するが、これらメッセージはＧｂプローブ３０６から捕捉されたものである。表３は、図４のメッセージから捕捉できる情報のリストであり、これら情報を用いて加入者記録を生成し、マッチさせる。
【００４１】
［表３］（メッセージ：抽出されたデータ）
４１−アタッチ要求／ＲＡＵ要求：ＩＭＳＩ、ＰＴＭＳＩ、ＴＬＬＩ、ＲＡＩ
４３−確認要求：ＴＬＬＩ、確認形式、ＲＡＮＤ
４４−確認応答：ＴＬＬＩ、ＳＲＥＳ
４５−ＸＩＤ：ＲＡＮＤ−ＵＩ
４６−アタッチ受諾／ＲＡＵ受諾：ＰＴＭＳＩ、ＴＬＬＩ
４７−アタッチ完了／ＲＡＵ完了：ＴＬＬＩ
【００４２】
図５は、本発明の他の実施例を示す。ここで、確認キーは、他のＳＧＳＮで利用可能であり、アタッチ要求の一部として新たなＳＧＳＮに変換されなければならない。アタッチ要求５１は、上述のメッセージ３１及び４１と同様に、Ｇｂプローブ３０６により捕捉され、新たなＧｂ加入者記録を生成するのに使用される。プローブ３０６は、Ｇｂ加入者記録をデータベース３０８に送る。ＳＧＳＮ３０３は、メッセージ５１を受け、メッセージ５２により確認情報についてＳＧＳＮ３０４に質問する。ＳＧＳＮ３０４は、メッセージ５３で確認情報を戻す。
【００４３】
メッセージ５２及び５３は、Ｇｎインタフェース上を送信され、Ｇｎ／Ｇｐプローブ３０９により捕捉される。このＧｎ／Ｇｐプローブは、メッセージ５２及び５３内の情報に基づいて新たなＧｎ／Ｇｐ加入者記録を生成する。Ｇｎ／Ｇｐプローブ３０９は、Ｇｎ／Ｇｐ加入者記録をデータベース３０８に送信する。このデータベースは、例えばＩＭＳＩ又はＴＬＬＩ情報のようなパラメータ一致により、Ｇｎ／Ｇｐ記録をＧｂ加入者記録に相関させる。
【００４４】
当業者にはわかるように、メッセージ３４〜３８及び４３〜４７に関して上述したのと同じ方法により、アタッチ処理がメッセージ５４〜５８により完了する。表４は、図５内のメッセージから捕捉できる情報のリストであり、これらを用いて加入者記録を生成及びマッチ処理できる。
【００４５】
［表４］（メッセージ：抽出されるデータ）
５１−アタッチ要求／ＲＡＵ要求：ＩＭＳＩ、ＰＴＭＳＩ、ＴＬＬＩ、ＲＡＩ
５２−ＳＧＳＮコンテキスト要求／識別要求：ＩＭＳＩ、ＲＡＩ、ＴＬＬＩ、ＰＴＭＳＩ、ＴＥＩＤ、ＩＰ、Ｐｏｒｔ
５３−ＳＧＳＮコンテキスト応答／識別応答：ＩＭＳＩ、ＴＥＩＤ、ＩＰ、Ｐｏｒｔ、現在のＫｃ、確認トリプレット（Ｋｃ、ＲＡＮＤ、ＳＲＥＳ）
５４−確認要求：ＴＬＬＩ、確認形式、ＲＡＮＤ
５５−確認応答：ＴＬＬＩ、ＳＲＥＳ
５６−ＸＩＤ：ＲＡＮＤ−ＵＩ
５７−アタッチ受諾／ＲＡＵ受諾：ＰＴＭＳＩ、ＴＬＬＩ
５８−アタッチ完了／ＲＡＵ完了：ＴＬＬＩ
【００４６】
図４が示す一実施例において、Ｇｂプローブ３０６は、アタッチ要求４１から抽出したＩＭＳＩを用いて加入者記録を生成する。この加入者記録は、データベース３０８に蓄積される。Ｇｎ／Ｇｐプローブ３０９は、ＳＧＳＮコンテキスト応答５３から抽出した確認トリプレットにより加入者記録を更新する。Ｇｂプローブ３０６は、加入者データベースから取り出した確認トリプレットに確認要求メッセージ５４内のＲＡＮＤをマッピングして、確認キーにマークを付ける。Ｇｂプローブは、加入者データの解読を始める。
【００４７】
別の実施例において、確認キーが加入者データベースに場所を占める前に、確認要求メッセージを受信できる。例えば、キュー遅延、プロセッサの負荷、又はネットワークの遅延により、確認キーがＧｎ／Ｇｐプローブ３０９により加入者記録に場所を占める前に、Ｇｐプローブ３０６は、確認要求５４を受けてもよい。Ｇｂプローブ３０６が加入者データベース３０８から確認情報を取り出せないならば、Ｇｂプローブ３０６がキー情報の再フェチを試みる。
【００４８】
Ｇｂプローブ３０６が確認キーを待っているならば、捕捉したメッセージの処理を停止できる。これによりプローブの処理が遅れ、通話量が多いときに追いつくのに困難な時間を有する。また、キーを待つ期間中、プローブのプロセッサがアイドルするのに役たたない。未処理のメッセージ及びアイドル・プロセッサに関連した問題を避けるために、好適実施例では、加入者待ちの予めのキューを用いる。Ｇｂプローブ３０６が加入者データの解読に必要なキーを有さないと、加入者用のメッセージがキューとなるが、キーが受信されるまで、プローブは、他の加入者用のメッセージを処理し続ける。
【００４９】
図６は、Ｇｂ、Ｇｒ及びＧｎ／Ｇｐインタフェースから捕捉したメッセージを用いて、同期した加入者追跡のシナリオを示す。表５は、図６の実施例にて交換されるプロトコル・データ・ユニットから抽出できるデータのリストである。ＭＳ３０１は、メッセージ６１により最初にアタッチを試みるが、ＳＧＳＮ３０３を指示して、メッセージ６２にてＳＧＳＮ３０４から確認キーを要求する。図６に示すシナリオにおいて、ＳＧＳＮ３０４は、メッセージ６３により、古いキーが終わったことをＳＧＳＮ３０３に知らせる。そして、ＳＧＳＮ３０３は、メッセージ６４及び６５によりＨＬＲ３０５からの新たなキーをフェッチする。Ｇｂプローブ３０６、Ｇｒプローブ３０７及びＧｎ／Ｇｐプローブ３０９は、Ｇｂ，Ｇｒ及びＧｎ／Ｇｐインタフェースからのメッセージを捕捉し、ＭＳ３０１用の加入者記録を生成し更新する。
【００５０】
［表５］（メッセージ：抽出されるデータ）
６１−アタッチ要求／ＲＡＵ要求：ＩＭＳＩ、ＰＴＭＳＩ、ＴＬＬＩ、ＲＡＩ
６２−ＳＧＳＮコンテキスト要求／識別要求：ＩＭＳＩ、ＲＡＩ、ＴＬＬＩ、ＰＴＭＳＩ、ＴＥＩＤ、ＩＰ、Ｐｏｒｔ
６３−ＳＧＳＮコンテキスト応答／識別応答：ＩＭＳＩ、ＴＥＩＤ、ＩＰ、Ｐｏｒｔ、現在のＫｃ、確認トリプレット（Ｋｃ、ＲＡＮＤ、ＳＲＥＳ）
６４−確認情報の送信：ＩＭＳＩ
６５−確認情報肯定応答の送信：確認トリプレット（Ｋｃ、ＲＡＮＤ、ＳＲＥＳ）
６６−確認要求：ＴＬＬＩ、確認形式、ＲＡＮＤ
６７−確認応答：ＴＬＬＩ、ＳＲＥＳ
６８−ＸＩＤ：ＲＡＮＤ−ＵＩ
６９−アタッチ受諾／ＲＡＵ受諾：ＲＴＭＳＩ、ＴＬＬＩ
６０−アタッチ完了／ＲＡＵ完了：ＴＬＬＩ
【００５１】
一実施例において、Ｇｂプローブ３０６は、メッセージ６１から抽出したＩＭＳＩ情報を用いて加入者記録を生成する。ＳＧＳＮ３０４が確認キーを有していれば、Ｇｎ／Ｇｐプローブ３０９は、ＳＧＳＮコンテキスト応答６３から抽出した確認トリプレットにより加入者記録を更新する。Ｇｒプローブ３０７は、確認情報応答の送信メッセージ６５から抽出した確認トリプレットにより加入者記録を更新する。Ｇｂプローブ３０６は、確認要求メッセージ６６内のＲＡＮＤを、加入者データベース３０８から取り出した確認トリプレットにマッピングすることにより、確認キーをマークする。確認キーを用いることにより、Ｇｂプローブ３０６は、加入者データの解読を開始する。
【００５２】
他のシナリオにおいて、表５に示したメッセージは、リストされた情報の総てを含んでいないかもしれない。これにより、ある例外において、特別な操作が必要となる。一実施例において、アタッチ要求メッセージ６１は、オプションのＩＭＳＩ情報を含んでいない。このシナリオにおいて、Ｇｂプローブ３０６は、ＰＴＭＳＩ情報を用いて、Ｇｂインタフェース加入者記録を生成する。Ｇｒプローブ３０７は、確認情報の送信メッセージ６４を用いて、別のＧｒインタフェース加入者記録を生成する。確認情報の送信メッセージは、ＩＭＳＩ情報のみを有するが、ＰＴＭＳＩ情報を有さない。Ｇｒインタフェース記録は、メッセージ６５から捕捉されたＲＡＮＤ情報を含む。
【００５３】
Ｇｂプローブ３０６は、確認要求メッセージ６６を捕捉し、捕捉したＲＡＮＤ及びＩＭＳＩ情報を渡して、Ｇｂインタフェース加入者記録に更新を送る。ＩＭＳＩ更新を受信すると、加入者データベース３０８は、両方の記録からのＩＭＳＩ情報をマッチングさせて、二重のエントリを検索し、Ｇｒインタフェース記録をＧｂインタフェース記録にマージする。
【００５４】
上述のように、キュー遅延、プローブ・プロセッサ負荷及びネットワーク遅延は、１つのプローブ検出及び処理メッセージを他のプローブよりも早くする。例えば、確認キーがＧｒプローブ又はＧｎ／Ｇｐプローブにより場所を占める前に、Ｇｂプローブが確認要求メッセージ６６を受ける。Ｇｂプローブが加入者データベースから確認情報の取り出しに失敗すると、設定可能な再試行を実行することにより、キー情報を再フェッチする。キーを待つ間、Ｇｂプローブは、好ましくは、メッセージを受けて、他の加入者用の情報を処理し続ける。
【００５５】
いくつかの実施例において、加入者追跡キーが変化するかもしれない。例えば、アタッチ受諾メッセージ又は経路指定受諾メッセージは、ＰＴＭＳＩ又はＴＬＬＩに変化するかもしれない。ＳＧＳＮがキーを流すまで、Ｇｂプローブは、この加入者用の古いキー及び新しいキーの両方を追跡しなければならない。例えば、加入者が経路指定領域更新にて新たな場所に移動すると、Ｇｂプローブも多数の場所を追跡しなければならない。Ｇｂプローブは、古い場所及び新たな場所の両方を追跡して、捕獲したメッセージを成功裏に追跡しなければならない。
【００５６】
ＧＰＲＳネットワーク内のいくつかのインタフェースは、モニタされないかもしれないことが理解できよう。これらの場合、加入者がモニタされたネットワークとモニタされないネットワークの間を移動すると、ある情報は捕捉されない。好適実施例において、モニタ・プローブ及び加入者データベースは、加入者情報を継続的に維持し、加入者がモニタ・ネットワークに到達すると加入者データを既存記録とダイナミックにマッチさせる。加入者データベースは、「古くなった」加入者情報を扱うには、時間と伴にだめになるメカニズムを有するかもしれない。加入者記録が更新されないか、又は設定可能な時間だけ使用されないと、その加入者記録は消去される。これは、モニタ・ネットワークを短期間だけ訪問する訪問加入者用の加入者記録を処分する方法を提供する。
【００５７】
好適実施例において、Ｇｂプローブは、より早いデータ・アクセス用に加入者データ・キャッシュを維持する。このプローブは、キャッシュ内の情報、例えば、ＩＭＳＩ、ＰＴＭＳＩ＋ＲＡＩ、ＴＬＬＩ＋ｎｏｄｅＩＤ又は加入者ＩＤを参照する。
【００５８】
本発明による１つの利点は、加入者識別を用いることによる加入者記録のフィルタ機能であるが、これは、オリジナルのＧＰＲＳインタフェースでは利用できなかった。本発明によれば、加入者記録にマージされたメッセージにより、特定の加入者に関連したメッセージを、別途、識別し分析できる。
【００５９】
加入者記録データは、多数のインタフェースから捕捉され、実時間で処理及び分析されることが理解できよう。これにより、操作者は、ネットワークの現在の状態をモニタできる。ここでの説明では、用語「略実時間」は、接続が進行中で、ＧＰＲＡＳネットワークを現在アクセス中のユーザに対して、操作者が情報を利用可能な期間中に、加入者記録が生成され更新されることを意味する。また、加入者記録は、蓄積され、後で取り出して、ネットワーク動作の履歴分析をできる。
【００６０】
上述の加入者記録を用いることにより、サービス・プロバイダ及び操作者は、加入者の全体的な通話を追跡できる。信号ユニット又はメッセージを分析し加入者記録に束ねることにより、エンド・ツー・エンド通話追跡を操作者に提供する。
【産業上の利用可能性】
【００６１】
本発明の一実施例によれば、ＧＰＲＳネットワーク内の加入者記録を生成する装置は、ＧＰＲＳインタフェースに結合されＧＰＲＳインタフェースからのメッセージを捕捉するように動作するプロセッサと；ＧＰＲＳインタフェースから捕捉したメッセージから生成した加入者記録を蓄積するデータベースと；関連した加入者記録を組合せて、マージされた加入者記録を形成するプロセッサと；捕獲したメッセージ及びマージされた加入者記録からの情報を用いてＧＰＲＳインタフェース上のメッセージを追跡し解読する加入者用プロセッサとを具えている。これらプロセッサを別のマイクロプロセッサとして実現してもよいし、１個以上のマイクロプロセッサ上で動作するいくつかの処理構成又はアプローチとして実現してもよいことが理解できよう。
【００６２】
本発明及びその利点を詳細に上述したが、本発明の要旨を逸脱することなく、種々の変形、変更及び代替が可能なことが理解できよう。さらに、本発明の要旨は、この明細書で述べた処理、機構、方法、手段などの特定の実施例に限定されるものではない。また、当業者には、処理、機構、方法、手段などの各構成要素は、既存のものでもよいし、将来開発される同じ又はほぼ同じ機能の構成要素を用いてもよいことが明らかであろう。
【図面の簡単な説明】
【００６３】
【図１】ＧＰＲＳネットワークのブロック図である。
【図２】本発明の一実施例によりモニタするＧＰＲＳネットワークのブロック図である。
【図３】本発明の一実施例により加入者記録を生成する装置を示す図である。
【図４】本発明の一実施例により加入者記録を生成する装置を示す図である。
【図５】本発明の一実施例により加入者記録を生成する装置を示す図である。
【図６】本発明の一実施例により加入者記録を生成する装置を示すである。
【符号の説明】
【００６４】
１００  ＧＰＲＳネットワーク
１０１、３０１  ＧＳＭモバイル・ステーション
１０２  基地局
１０３  セル
１０５  基地局コントローラ
１０９、３０５  ＨＬＲ（ホーム位置レジスタ）
１１０  ＭＳＣ／ＶＬＲ
１１２  装置識別レジスタ
１１３  ＧＰＲＳサポート・ノード
１１４  ゲートウェイＧＰＲＳサポート・ノード
１１５  パケット・データ・ネットワーク
１１６  ＳＧＳＮ／ＧＧＳＮ
１１７  ＰＬＭＮ（公衆地上モバイル・ネットワーク）
１２０  ＳＧＳＮ（ＧＰＲＳサポート・ノード）
２０１、３０６  Ｇｂプローブ
２０２、３０７  Ｇｒプローブ
２０３  Ｇｎプローブ
２０４  Ｇｐプローブ
２０５  Ｇｉプローブ
２０６、３０８  ＭＳデータベース
３０２  基地局サブシステム
３０３  新たなＳＧＳＮ
３０４  古いＳＧＳＮ
３０５  ＨＬＲ
【図１】
2006325204.tif 000003
【図２】
2006325204.tif 000004
【図３】
2006325204.tif 000005
【図４】
2006325204.tif 000006
【図５】
2006325204.tif 000007
【図６】
2006325204.tif 000008